(57)【要約】【課題】柵のほぼ全域のどの場所にでも脱着可能に取着することができ、従って、柵における植栽容器の飾付位置の自由度が高いだけでなく、柵のある場所に装置を取着した後であっても、柵における植栽容器の飾付位置を腕の回転範囲で容易に変更することができる柵への植栽容器支持装置を提供することにある。また、一つの装置で二つ以上の植栽容器を支持することができるようにして、柵への装置の取着の手間を軽減し、さらに、植栽容器を横にきれいに揃えて飾付けることを容易に行う。【解決手段】柵Ｆの構成要素を挟み付けることにより柵に着脱可能に取着される柵取着体２と、柵取着体２に、基端部８ａにおいて軸着機構３により縦軸周りに回転可能に軸着され、基端部８ａから柵Ｆより離れる方向に延びる腕８と、腕８の先端部８ｂに取り付けられて植栽容器Ｐを支持する支持体９とを備える。【選択図】図２
2005087344.tif 000002
【特許請求の範囲】
【請求項１】
柵の構成要素を挟み付けることにより柵に着脱可能に取着される柵取着体と、前記柵取着体に又は前記柵取着体から柵に沿って延び出す延出体に、基端部において軸着機構により縦軸周りに回転可能に軸着され、該基端部から柵より離れる方向に延びる腕と、前記腕の先端部に取り付けられて植栽容器を支持する支持体とを備えた柵への植栽容器支持装置。
【請求項２】
前記柵取着体が前記構成要素としての少なくとも２本の縦木を挟み付けられる長さの横長状に形成された請求項１記載の柵への植栽容器支持装置。
【請求項３】
前記柵取着体の１箇所又は横方向に間隔をおいた複数箇所に前記腕が軸着された請求項２記載の柵への植栽容器支持装置。
【請求項４】
前記柵取着体から縦方向へ延び出す前記延出体の１箇所又は縦方向に間隔をおいた複数箇所に前記腕が軸着された請求項２記載の柵への植栽容器支持装置。
【請求項５】
前記軸着機構に前記腕の回転を任意の回転角度で停止する停止手段が設けられた請求項１〜４のいずれか一項に記載の柵への植栽容器支持装置。
【請求項６】
前記軸着機構は、前記柵取着体又は前記延出体に形成された筒に前記腕の基端部が回転可能に挿入された機構であり、前記停止手段は前記筒に貫設された雌ネジ孔に筒外から螺入されて筒内の前記腕の基端部に当接する雄ネジである請求項５記載の柵への植栽容器支持装置。
【請求項７】
前記腕は基端部から斜め上方へ延びて柵より離れる請求項１〜６のいずれか一項に記載の柵への植栽容器支持装置。
【請求項８】
前記支持体は植栽容器を受ける受け皿である請求項１〜７のいずれか一項に記載の柵への植栽容器支持装置。
【請求項９】
前記受け皿の上方に植栽容器の倒落を防ぐリングが設けられた請求項８記載の柵への植栽容器支持装置。
【発明の詳細な説明】
【技術分野】
【０００１】
本発明は、柵に取着して植木鉢、プランター等の植栽容器を支持するための植栽容器支持装置に関するものである。
【背景技術】
【０００２】
従来のこの種の柵への植栽容器支持装置としては、柵の横木に引っ掛けるフック式のものが多いが、フック式以外のものも散見される。例えば、図１０に示す装置４０は、板状片４１の基部に形成された係止溝４２を柵の縦木ｆに係止し、板状片４１の前部に穿設された一部切欠円形状の支持穴４３に植木鉢を嵌着して支持するものである（特許文献１）。また、図１１に示す装置４５は、一対の挟付片４６と、各挟付片４６から前方へ延びる一対の支持片４７と、一方が挟付片４６の基部の複数のボルト穴４８に選択的に通され、他方が支持片４７の基部のボルト穴４９に通される２本のボルト５０及びそのナット５１とからなり、挟付片４６で縦木ｆを挟み両ボルト５０で締め付けることにより縦木ｆに取着され、支持片４７の円弧状湾曲部に植栽容器を嵌着して支持するものである（特許文献２）。これらの装置４０，４５によれば、柵の縦木ｆに取着するので、柵のほぼ全域のどの場所にでも脱着可能に取着することができ、従って、柵における植栽容器（勿論植栽された植物も含む）の飾付位置の自由度が高いという利点がある。
【特許文献１】特許２８６９０３０号公報
【特許文献２】実開昭５５−６９４６３号公報
【発明の開示】
【発明が解決しようとする課題】
【０００３】
ところが、上記の装置４０、４５は、それらの支持穴４３や支持片４７がそれらの係止溝４２や挟付片４６の直前の不変位置に一つ（一対）あるだけなので、柵のある場所に装置４０、４５を一旦取着した後に、柵における植栽容器の飾付位置を変更しようとすると、柵の別の場所に装置４０,４５を取着し直す必要があり、面倒であった。また、一つの装置４０、４５で一つの植栽容器しか支持できなかったので、飾付けたい植栽容器が複数ある場合には、それに応じた数の装置４０、４５を用意して柵に取着する必要があり、面倒であった。さらに、その複数の植栽容器を縦又は横にきれいに揃えて飾付けたい場合には、装置の取着高さのバラツキ等が問題になるという問題もあった。
【０００４】
本発明の目的は、上記課題を解決し、柵のほぼ全域のどの場所にでも脱着可能に取着することができ、従って、柵における植栽容器の飾付位置の自由度が高いだけでなく、柵のある場所に装置を取着した後であっても、柵における植栽容器の飾付位置を腕の回転範囲で容易に変更することができる柵への植栽容器支持装置を提供することにある。本発明の別の目的は、一つの装置で二つ以上の植栽容器を支持することができるようにして、柵への装置の取着の手間を軽減し、また、植栽容器を縦又は横にきれいに揃えて飾付けることを容易に行うこともできる柵への植栽容器支持装置を提供することにある。
【課題を解決するための手段】
【０００５】
上記課題を解決するために、本発明の柵への植栽容器支持装置は、柵の構成要素を挟み付けることにより柵に着脱可能に取着される柵取着体と、柵取着体に又は柵取着体から柵に沿って延び出す延出体に、基端部において軸着機構により縦軸周りに回転可能に軸着され、基端部から柵より離れる方向に延びる腕と、腕の先端部に取り付けられて植栽容器を支持する支持体とを備える。
【０００６】
ここで、柵の構成要素は、特に限定されず、縦木、横木、斜木等を例示できる。
柵取着体の寸法形状は、特に限定されないが、構成要素としての少なくとも２本の縦木を挟み付けられる長さの横長状に形成されることが好ましい。
柵取着体が柵の構成要素を挟み付ける態様としては、特に限定されないが、ボルトとナット、紐状体、ベルト等を例示できる。ボルトとナットを用いる場合は、特に限定されないが、部品点数を減少することで簡易性を持たせるために、柵取着体の部材にボルトやナットが固定された状態であることが好ましい。この柵取着体は、円形、楕円形、三角形、四角形、多角形等の断面形状の柵の構成要素に取着される。
【０００７】
軸着機構による縦軸周りの回転可能な角度範囲は、特に限定されず、可能な限り広げてもよいが、特定の角度範囲（例えば、植栽容器が柵にあたらない角度範囲）に限定してもよい。
【０００８】
腕の数及びその配置については、特に限定されないが、以下の（１）（２）を例示できる。
（１）柵取着体の１箇所又は横方向に間隔をおいた複数箇所に腕が軸着された態様。
（２）柵取着体から縦方向へ延び出す延出体の１箇所又は縦方向に間隔をおいた複数箇所に腕が軸着された態様。
柵より離れる方向とは、柵のどちら側の方向でもよい。腕が複数箇所軸着された場合は、柵の片側の方向に偏って離れて延びていても、両側の方向に離れて延びていてもよい。
【０００９】
軸着機構には、腕の回転を任意の回転角度で停止する停止手段が設けられることが、使用時に腕が不意に回転しないため好ましい。
【００１０】
軸着機構は、特に限定されないが、（１）（２）を例示できる。
（１）柵取着体又は延出体に形成された筒に腕の基端部が回転可能に挿入された機構。
この際、筒は、柵取着体又は延出体の柵側の面とその反対面のどちら側に形成されるかは、特に限定されない。
（２）柵取着体又は延出体と腕との間にベアリングを用いる機構。
また、停止手段は、特に限定されないが、例えば上記（１）の場合には、筒に貫設された雌ネジ孔に筒外から螺入されて筒内の腕の基端部に当接する雄ネジを例示できる。
【００１１】
腕の形状は、特に限定されず、真直ぐであっても、途中で枝分かれしてもよい。腕の長さは、植栽容器を柵にあたらない程度に柵から離すことのできる長さ以上にあればよく、特に限定されない。また、腕は基端部から斜め上方、水平又は斜め下方のいずれの向きへ延びてもい。
【００１２】
１つの腕に対する支持体の数は、特に限定されない。支持体は腕の先端部以外に途中部に取り付けられてもよい。
支持体の形状は、特に限定されないが、図８（ａ）に示すような周縁に植栽容器のずれ落ちを防ぐ上方への突出部３１を備え、植栽容器を受ける受け皿である支持体９、植栽容器を嵌着して支持するリング状の支持体、植栽容器を吊り下げる鉤状の支持体、図９（ａ）に示すように、受け皿の上方に植栽容器の倒落を防ぐためのリング３２が、受け皿に溶接されて設けられた支持体９等を例示できる。植栽容器を受ける受け皿の突出部については、特に限定されないが、以下の（１）（２）を例示する。
（１）図８（ｂ）に示すように、突出部３１の上端が周方向に間隔をおいた複数の半円状の突出片３１ａで装飾された受け皿である支持体９。
（２）図８（ｃ）に示すように、突出部３１の上端が周方向に間隔をおいた複数の波状の突出片３１ａで装飾された受け皿である支持体９。
【００１３】
植栽容器支持装置の柵取着体、延出体、腕及び支持体等に用いられる材質としては、特に限定されないが、金属、樹脂、木材等を例示でき、主に屋外で使用することになるから、耐久性の点で金属が好ましく、特に錆にくいステンレス鋼が好ましい。
【発明の効果】
【００１４】
本発明の柵への植栽容器支持装置によれば、柵のほぼ全域のどの場所にでも脱着可能に取着することができ、従って、柵における植栽容器の飾付位置の自由度が高いだけでなく、柵のある場所に装置を取着した後であっても、柵における植栽容器の飾付位置を腕の回転範囲で容易に変更することができる。
また、一つの装置で二つ以上の植栽容器を支持することができるようにして、柵への装置の取着の手間を軽減し、さらに、植栽容器を縦又は横にきれいに揃えて飾付けることを容易に行うこともできる。
【発明を実施するための最良の形態】
【００１５】
本発明を実施するための最良の形態として、縦木により構成される柵に使用して、柵の片面側で横方向に植栽容器を並べて支持する植栽容器支持装置を実施例１に示し、柵の片面側で縦方向に植栽容器を並べて支持する植栽容器支持装置を実施例２に示す。なお、以下、柵Ｆより植栽容器Ｐ方向を前方とし、植栽容器Ｐより柵Ｆ方向を後方とする。以下に述べる材料、数値等は例示であり、適宜変更できることはいうまでもない。
【実施例１】
【００１６】
図１は、実施例１に係る柵Ｆへの植栽容器支持装置１と実施例１の変更例に係る柵Ｆへの植栽容器支持装置１５の使用状態を示し、図２、図３及び図４は、本発明を具体化した実施例１に係る植栽容器支持装置１を示している。この装置１は、柵Ｆの前方に２つの植栽容器Ｐを横方向に並べて支持できるようになっており、柵Ｆの縦木ｆを挟み付ける柵取着体２と、基端部８ａにおいて軸着機構３により軸着され、柵Ｆより離れる方向に延びる腕８と、植栽容器Ｐを支持する支持体９とを備える。
【００１７】
柵取着体２は約３本の縦木ｆにかかる長さの横長状に形成され、同長さの第一挟付片２１と、それより短い約２本の縦木ｆにかかる長さの第二挟付片２０と、第一挟付片２１と第二挟付片２０を連結するためのボルト５ａ及びナット５ｂとからなっている。第二挟付片２０は第一挟付片２１の横方向の略中央部に位置するように設けられ、第二挟付片２０の横方向の２箇所と第一挟付片２１の対応する位置には、第二挟付片２０と第一挟付片２１を連通するボルト孔４が設けられている。この第二挟付片２０を縦木ｆの後面に当て第一挟付片２１を縦木ｆの前面に当てて、ボルト孔４にボルト５ａを通しボルト５ａの両端からワッシャとばね座金を挟んでナット５ｂで止めることで、縦木ｆを挟み付ける。この柵取着体２は、ボルト５ａとナット５ｂのみで止められているので、縦木ｆに着脱可能に取着されている。
【００１８】
第一挟付片２１の前面には、横方向の端部が第一挟付片２１に溶接され略中央部は第一挟付片２１から離れている筒形成部材６が、横方向に間隔をおいた２箇所に設けられている。この筒形成部材６の略中央部と第一挟付片２１との間には、縦方向に延びる断面が略半円状の筒７が形成されている。この筒７に腕８の基端部８ａが挿入されることにより、基端部８ａは、軸着機構３により縦軸周りに回転可能に軸着されている。
この軸着機構３は、挿入された基端部８ａの回転を任意の回転角度で停止できるように、筒７に貫設された雌ネジ孔１０に筒７外から螺入されて筒７内の基端部８ａに当接する雄ネジ１１である停止手段を備えている。
【００１９】
腕８は、基端部８ａから斜め上方であって柵Ｆより離れる方向に延び、腕８の先端部８ｂには支持体９が溶接されて設けられている。この支持体９は、受け皿の周縁に植栽容器Ｐのずれ落ちを防ぐ上方への突出部３１を備えた植栽容器Ｐを受ける受け皿である。
植栽容器支持装置１は、すべての部材がステンレス鋼よりなっている。
【００２０】
植栽容器支持装置１の使用方法を説明すると、まず、第二挟付片２０と第一挟付片２１を用いて縦木ｆを挟み付け、筒７に腕８の基端部８ａを挿入し、植栽容器Ｐを支持できるようにする。次に、植栽容器Ｐを腕８の先端部８ｂの支持体９上に載せ、図４に示すように、腕８を軸着機構３により筒７の縦軸周り回転させて、任意の角度に調整して植栽容器Ｐを支持する位置となる支持体９の配置を決めた後、停止手段で腕８を回転不能とする。尚、腕８の角度の調整は、植栽容器Ｐを載せる前であっても、後であってもよく、停止手段で回転不能とした後であっても、停止手段を解除して、新たな角度に腕８を調整してもよい。
【００２１】
実施例１の変更例を図５に示す。この植栽容器支持装置１５は、柵取着体２は約７本の縦木ｆにかかる長さの横長状に形成され、第一挟付片２２が実施例１で用いた第一挟付片２１の略２倍の長さであり、第二挟付片２０が第一挟付片２２の横方向に間隔を置いて２箇所に設けられ、軸着機構３として４つの筒穴形成部材６が、横方向に間隔をおいて第一挟付片２２に設けられ、そこに軸着された腕８に設けられた支持体９（図中では２点鎖線で示す）が合計４つの植栽容器（図示略）を支持ていることのみが植栽容器支持装置１と異なっている。この植栽容器支持装置１５の柵取着体２は、２箇所の第二挟付片２０と第一挟付片２２の間にそれぞれ１本の縦木ｆを、実施例１と同様に挟み付けている。
【００２２】
以上のように構成された柵Ｆへの植栽容器支持装置１、１５は、柵Ｆのほぼ全域のどの場所にでも脱着可能に取着することができ、従って、柵Ｆにおける植栽容器の飾付位置の自由度が高いだけでなく、柵Ｆのある場所に装置１、１５を取着した後であっても、腕８が軸着機構３により縦軸周りに回転可能に軸着されているので、柵Ｆにおける植栽容器Ｐの飾付位置を腕の回転範囲で容易に変更することができる。
また、装置１、１５に二つ以上の筒７を形成することで、一つの装置１、１５で二つ以上の植栽容器を支持することができるようになり、柵Ｆへの装置１、１５の取着の手間を軽減し、さらに、支持体９が同じ高さに揃っている場合には、植栽容器Ｐの間隔を変えて、植栽容器Ｐを横にきれいに揃えて飾付けることを容易に行うこともできし、支持体の高さに違いがある場合には、植栽容器Ｐを飾付ける範囲を柵Ｆの高さ方向に広げることができる。
【００２３】
装置１５は、さらに、柵取着体２の長さを長くし、同長さの第一挟付片２２に対し、第二挟付片２０を２箇所に設けたので、柵Ｆに装置１５がより強固に取着され、装置１５が支えることができる総重量が増加し、支持する植栽容器Ｐの数を増加させることができる。
【実施例２】
【００２４】
図６及び図７は、本発明を具体化した実施例２に係る植栽容器支持装置１６を示している。この植栽容器支持装置１６は、柵Ｆの前方に２つの植栽容器Ｐを縦方向に並べて支持できるようにするために、柵取着体２の第一挟付片２３と、柵取着体２から柵Ｆに沿って縦方向に延び出す延出体１７が設けられたことと、軸着機構３が縦方向に並べて設けられたことが実施例１と異なっている。
【００２５】
柵取着体２は約２本の縦木ｆにかかる長さの横長状に形成され、同長さの第一挟付片２３と、第一挟付片２１と同じ長さの第二挟付片２０と、ボルト５ａ及びナット５ｂとからなっている。第一挟付片２３と第二挟付片２０とは、延出体１７の縦方向の略中央部に位置するように設けられ、第一挟付片２３はその前面で延出体１７に溶接されており、第二挟付片２０の横方向に間隔をおいた２箇所には、直角にボルト５ａが第一挟付片２３方向を向いて溶接されている。このボルト５ａの延長方向の第一挟付片２３には、ボルト孔４が設けられている。実施例１と同様に第二挟付片２０と第一挟付片２３との間に縦木ｆを挟み、ボルト孔４にボルト５ａを通し、第一挟付片２３から前方へ突出したボルト５ａをワッシャとばね座金を挟んで蝶番５ｃで止めることで縦木ｆを挟み付ける。柵取着体２は、実施例１と同様に縦木ｆに着脱可能に取着されている。延出体１７に設けられている腕８、軸着機構３、停止手段１２及び支持体９の態様は、実施例１と同じであるが、延出体１７が実施例１の第一挟付片２１と異なり縦方向へ延び出しているので、筒形成部材６は、縦方向に間隔をおいた２箇所に設けられている。それにより、腕８に支持される２つの植栽容器Ｐは、略縦方向に並べられて配置されることになる。
【００２６】
以上のように構成された柵への植栽容器支持装置１６は、実施例１と同等な効果のほかに、延出体１７を縦方向に延び出して設けているので、植栽容器Ｐを縦にきれいに揃えて飾付けることを容易に行うこともできる。また、縦に並んだ植栽容器Ｐの飾付位置を延出体１７の左右に交互にすることで、１つの装置１６を用いて植栽容器Ｐで飾付ける範囲を柵Ｆの横方向に広げるゲルことができる。
【００２７】
なお、本発明は前記実施例に限定されるものではなく、例えば以下のように、発明の趣旨から逸脱しない範囲で適宜変更して具体化することもできる。
（１）第一挟付片又は延出体に複数の筒を設けた場合、必ずしも筒のすべてに腕を挿入する必要はないこと。
【図面の簡単な説明】
【００２８】
【図１】本発明に係る柵への植栽容器支持装置の実施例１の使用状態を示す斜視図である。
【図２】同実施例１を示す斜視図である。
【図３】図１の分解斜視図である。
【図４】同実施例１の作用を示す平面図である。
【図５】実施例１の変更例を示す斜視図である。
【図６】本発明に係る柵への植栽容器支持装置の実施例２の使用状態を示す斜視図である。
【図７】同実施例２を示す斜視図である。
【図８】本発明に係る柵への植栽容器支持装置の支持体の変更例を示す、（ａ）は腕及び受け皿と突出リングとからなる支持体の斜視図、（ｂ）は腕及び受け皿と突出片で装飾された突出部とからなる支持体の斜視図、（ｃ）は腕及び受け皿と波状の突出片で装飾された突出部とからなる支持体の斜視図である。
【図９】本発明に係る柵への植栽容器支持装置の支持体の変更例として、第二突出部として受け皿の上方にリングが設置された支持体の斜視図である。
【図１０】従来の柵への植栽容器支持装置を示す。
【図１１】従来の柵への植栽容器支持装置を示す。
【符号の説明】
【００２９】
１、１５、１６    植栽容器支持装置
２    柵取着体
３    軸着機構
７    筒
８    腕
９    支持体
１２    停止手段
１７    延出体
２０    第二挟付片
２１、２２、２３    第一挟付片
【図１】
2005087344.tif 000003
【図２】
2005087344.tif 000004
【図３】
2005087344.tif 000005
【図４】
2005087344.tif 000006
【図５】
2005087344.tif 000007
【図６】
2005087344.tif 000008
【図７】
2005087344.tif 000009
【図８】
2005087344.tif 000010
【図９】
2005087344.tif 000011
【図１０】
2005087344.tif 000012
【図１１】
2005087344.tif 000013